(57)【要約】【課題】本発明は、受信感度を評価しながら最適な状態で受信できる受信装置を提供する。【解決手段】信号を受信するアンテナと、前記信号を受信するための受信周波数を設定するチューナを有し、前記受信周波数に対応するデータを受信する受信装置であって、前記チューナに受信周波数を設定するよう指示することにより、前記チューナからＳＮレベル信号を受信し、その受信したＳＮレベル信号から生成した制御信号を出力する制御手段と、前記制御手段から出力された制御信号をアナログデータにダウンコンバートするＤＡ変換手段と、前記ＤＡ変換手段からの信号に基づいて前記受信周波数を決定するアンテナ同調回路とを備える。【選択図】図１
2011139250.tif 000002
【特許請求の範囲】
【請求項１】
信号を受信するアンテナと、前記信号を受信するための受信周波数を設定するチューナを有し、前記受信周波数に対応するデータを受信する受信装置であって、
前記チューナに受信周波数を設定するよう指示することにより、前記チューナからＳＮレベル信号を受信し、その受信したＳＮレベル信号から生成した制御信号を出力する制御手段と、
前記制御手段から出力された制御信号をアナログデータにダウンコンバートするＤＡ変換手段と、
前記ＤＡ変換手段からの信号に基づいて前記受信周波数を決定するアンテナ同調回路とを備えることを特徴とする受信装置。
【発明の詳細な説明】
【技術分野】
【０００１】
本発明は、アンテナでデータを受信する受信装置に関し、特に、小型アンテナにおける受信感度の改善に関するものである。
【背景技術】
【０００２】
従来、ラジオに代表される受信装置として、例えば、特許文献１では、同調調整回路３０からの調整電圧とＰＬＬ回路２０からの制御電圧との差電圧に基づいて、アンテナ同調回路１２の可変容量ダイオードを変化させることにより、受信信号周波数がアンテナ同調周波数に一致する状態で放送受信を行うことが開示されている。
【０００３】
このように、従来の受信装置は、同調調整回路を調整することにより、受信信号周波数とアンテナ同調周波数のずれによる感度の低下や周波数特性の悪化を低減して、良好な信号受信を行うことができる。
【先行技術文献】
【特許文献】
【０００４】
【特許文献１】実開平５−６５１３５号公報
【発明の概要】
【発明が解決しようとする課題】
【０００５】
しかしながら、従来の受信装置は、受信設定とは別に同調調整回路３０の調整電圧をマニュアル操作によって指示しなければならいという問題があった。さらに、アンテナが小型化し受信条件が悪化した条件では、受信信号周波数とアンテナ同調周波数のずれによる感度そのものを評価していないため、同調調整回路をマニュアル操作して調整電圧を指示することは困難になるという問題があった。
【０００６】
そこで、本発明は、上記従来の問題点を解決すべく、受信感度を評価しながら最適な状態で受信できる受信装置を提供することを目的とする。
【課題を解決するための手段】
【０００７】
上記目的を達成するために、本発明の受信装置は、信号を受信するアンテナと、前記信号を受信するための受信周波数を設定するチューナを有し、前記受信周波数に対応するデータを受信する受信装置であって、前記チューナに受信周波数を設定するよう指示することにより、前記チューナからＳＮレベル信号を受信し、その受信したＳＮレベル信号から生成した制御信号を出力する制御手段と、前記制御手段から出力された制御信号をアナログデータにダウンコンバートするＤＡ変換手段と、前記ＤＡ変換手段からの信号に基づいて前記受信周波数を決定するアンテナ同調回路とを備えるようにしたものである。
【発明の効果】
【０００８】
上記の構成によれば、システムの限界まで受信感度を引き上げることができる放送電波受信装置を提供できる。
【図面の簡単な説明】
【０００９】
【図１】実施の形態にかかる受信装置の構成図
【図２】実施の形態にかかる受信装置の受信手順フローチャート
【発明を実施するための形態】
【００１０】
以下、本発明の受信装置の実施の形態について、図面を参照しながら説明する。
（実施の形態１）
図１に、実施の形態１にかかる受信装置のブロック図を示す。
【００１１】
受信装置１は、アンテナ２と、アンテナ同調回路３と、高周波増幅回路４と、チューナ５と、マイクロコンピュータ６と、チャンネル選択手段７と、ＤＡ変換回路８で構成される。
【００１２】
アンテナ２は、受信周波数が割り当てられた複数のチャンネルから、ユーザが設定したチャンネルの放送電波をその対応する受信周波数で受信する。
【００１３】
アンテナ同調回路３は、例えば電圧値で容量が変化するコンデンサで構成され、アンテナ２の受信周波数を設定する。
【００１４】
高周波増幅回路４は、アンテナ同調回路３で設定された受信周波数を用いてアンテナ２で受信した放送電波を増幅する。
【００１５】
チューナ５は、高周波増幅回路４で増幅された放送電波をオーディオ信号に変換する。
【００１６】
チャンネル選択手段７では、ユーザがチャンネルを選択する。これにより受信周波数が一意に決定する。
【００１７】
マイクロコンピュータ６は、チューナ５にチャンネル選択手段７で選択したチャンネルの受信周波数として受信チャンネル信号を送り、チューナ５からＳＮレベル信号を受け取る。あわせて、アンテナ同調回路３を制御するためのＰＷＭ信号をＤＡ変換回路８に出力する。
【００１８】
ＤＡ変換回路８は、マイクロコンピュータ６がアンテナ同調回路３を制御するためのＰＷＭ信号を直流電圧信号に変換する。この直流電圧信号により、アンテナ同調回路３は、コンデンサの容量が変化することで、アンテナ２の受信周波数を設定することになる。
【００１９】
次に、図２に示す受信手順フローチャートを用いて、受信装置１の動作を説明する。
【００２０】
ユーザは、チャンネル選択手段７で受信チャンネルを選択する。このときマイクロコンピュータ６は、最適な受信周波数を検索するために用いる加算フラグをＯＮに、減算フラグをＯＦＦに設定する（ステップＳ１）。
【００２１】
受信チャンネル情報を受け取ったマイクロコンピュータ６は、チューナ５に対して受信チャンネルに相当する受信周波数を設定する。あわせて、マイクロコンピュータ６は、受信チャンネル相当のＰＷＭ信号を作成し、送出する（ステップＳ２）。
【００２２】
ＤＡ変換回路８で、ＰＷＭ信号を直流電圧信号に変換し、アンテナ同調回路３に受信周波数を設定する（ステップＳ３）。
【００２３】
アンテナ同調回路３で設定した受信周波数を用いてアンテナ２で放送電波を受信する（ステップＳ４）。
【００２４】
その後、受信した放送電波は、高周波増幅回路４で増幅され、チューナ５に入力される（ステップＳ５）。
【００２５】
チューナ５は、選択された受信チャンネルで入力される放送電波をオーディオ信号に変換して出力すると同時に、マイクロコンピュータ６にＳＮレベル信号のデータを出力する（ステップＳ６）。
【００２６】
マイクロコンピュータ６は、ＳＮレベル信号を内部メモリ９に記憶する(ステップＳ７)。
【００２７】
マイクロコンピュータ６は、１つ前のＳＮレベル信号と新たに計測したＳＮレベル信号を比較する（ステップＳ８）。
【００２８】
新たなＳＮレベル信号が１つ前のＳＮレベル信号以上であればＰＷＭ信号を予め決められた値だけ加算してＰＷＭ信号を補正する。さらに加算フラグをＯＮに、減算フラグをＯＦＦに設定する。一方、新たなＳＮレベル信号が１つ前のＳＮレベル信号より小さければＰＷＭ信号を予め決められた値だけ減算してＰＷＭ信号を補正する。加算フラグをＯＦＦに、減算フラグをＯＮに設定する（ステップＳ９）。
【００２９】
減算フラグがＯＮ、かつ１つ前の加算フラグがＯＮの場合には、ＳＮレベル信号が増加傾向から減少傾向になったことを示すので、１つ前の受信周波数が受信感度最良ポイントであると判断する。そうでない場合には、ステップＳ３に戻り、最適な受信周波数の検索を続ける（ステップＳ１０）。
【００３０】
なお、本実施の形態では、受信感度最良ポイントを検索するために、新たなＳＮレベル信号が１つ前のＳＮレベル信号と同等であればＰＷＭ信号を予め決められた値だけ加算してＰＷＭ信号を補正しているが、減算しても同じ効果が得られる。
【００３１】
なお、本実施の形態において、ＰＷＭ信号とＤＡ変換回路８を用いてアンテナ同調回路３を制御する構成としたが、これには限らない。例えば、ＰＷＭ信号を用いず、マイクロコンピュータ６から直流電圧信号を発生できる回路もしくはＩＣを経由してアンテナ同調回路３を直接制御するようにしてもよい。要するに、マイクロコンピュータ６がアンテナ同調回路３を制御できるようにすればよい。
【００３２】
なお、実施の形態において、ユーザがチャンネル選択手段７で受信チャンネルを選択した場合としたが、これには限らない。例えば、生産工程において、同様の方法で数ポイントの受信チャンネルのＰＷＭ信号を決定し、マイクロコンピュータ６の内部メモリに記録する。そして数ポイントの受信チャンネルの間のチャンネルに対するＰＷＭ値は近似値を計算してテーブル化する。ユーザがチャンネル選択手段７で受信チャンネルを選択したときに生産工程で作成したテーブルを用いたＰＷＭ値で制御するようにしてもよい。要するに、各受信チャンネルで最適になるようにアンテナ同調回路３を制御できるようにすればよい。
【産業上の利用可能性】
【００３３】
本発明は、アンテナでデータを受信する受信装置に関し、特に、小型アンテナにおける受信感度の改善に関するものであって、受信感度を評価しながら最適な状態で受信できる受信装置を提供できる。そのため、本発明は、アンテナとチューナを搭載する小型ＡＶ機器における放送電波受信の感度改善効果の用途に適用できる。
【符号の説明】
【００３４】
１    受信装置
２    アンテナ
３    アンテナ同調回路
４    高周波増幅回路
５    チューナ
６    マイクロコンピュータ
７    チャンネル選択手段
８    ＤＡ変換回路
９    内部メモリ
【図１】
2011139250.tif 000003
【図２】
2011139250.tif 000004